(57)【要約】【課題】光源、主として直線偏光された光線を放出するための偏光光学系、少なくとも１基の偏光ビームスプリッタおよびＬＣＤパネルを含む、デジタル投影において、ポジ像およびネガ像を同時に作り出すための配置において、簡易な技術的手段により、コスト的に有利に、信頼性のある精確なポジ像とネガ像を同時に作り出す【解決手段】光源、主として直線偏光された光線を放出するための偏光光学系、少なくとも１基の偏光ビームスプリッタおよびＬＣＤパネルを含む、デジタル投影において、後に偏光光学系（２）の配置された光源（１）と反射ＬＣＤパネル（６）との間の光路内に２基の偏光ビームスプリッタ（３，５）を、これらの間にファラデー回転子（４）を備える【選択図】図１
2004126561.tif 000002
【特許請求の範囲】
【請求項１】
デジタル投影においてポジ像およびネガ像を同時に生成するための配置であって、光源、主として直線偏光された光線を放出するための偏光光学系、少なくとも１基の偏光ビームスプリッタおよび光線変調のためのＬＣＤパネルを含み、後に偏光光学系（２）の配置された光源（１）と反射ＬＣＤパネル（６）との間の光路内で、反射ＬＣＤパネル（６）の前方に２基の偏光ビームスプリッタ（３，５）が備えられ、これらの偏光ビームスプリッタ（３，５）の間にファラデー回転子（４）が備えられていることを特徴とする配置。
【請求項２】
ファラデー回転子（４）を介して光を１回通過させた際に、入射光の偏光面が、４５°回転するように設定されていることを特徴とする、請求項１に記載の配置。
【請求項３】
偏光光学系（２）の後に配置された第１の偏光ビームスプリッタ（３）が、ネガ像（７）を投影するために配備されていることを特徴とする請求項１あるいは２に記載の配置。
【請求項４】
ファラデー回転子（４）の後で、反射ＬＣＤパネル（６）の前に配置された第２の偏光ビームスプリッタ（５）が、ポジ像（８）を投影するために配備されていることを特徴とする請求項１から３のうちの１に記載の配置。
【請求項５】
反射ＬＣＤパネル（６）の接続画素すべてについて、偏光ビームスプリッタ（５）により偏光の偏光面が９０°回転した場合に、反射して光路から出た光が、ポジ像（８）を投影するために向けられるようになっていることを特徴とする請求項１から４のいずれか１項に記載の配置。
【請求項６】
反射ＬＣＤパネル（６）の接続遮断画素すべてについて、偏光ビームスプリッタ（５）を通過して、ファラデー回転子（４）を再度通過した後の偏光の偏光面が偏光ビームスプリッタ（３）により、偏光ビームスプリッタ（３）への往路進行光線の偏光面に対して９０°回転した場合に、反射して光路から出た光が、ネガ像（７）投影のために向けられることを特徴とする請求項１から５のいずれか１項に記載の配置。
【発明の詳細な説明】
【技術分野】
【０００１】
本発明は、デジタル投影においてポジ像およびネガ像を同時に作り出すための配置であって、光源、主として直線偏光された光線を放出するための偏光光学系、少なくとも１基の偏光ビームスプリッタおよび光線変調のためのＬＣＤパネルを含む配置に関する。
【背景技術】
【０００２】
主として反射ＬＣＤパネルに基づくデジタル投影機は、ポジ像の投影には提供された光の一部しか使用しないことが知られている。送出された光の大部分は、変調が不可欠であることから結像光路には達せず、光源へ戻し反射されている。
【０００３】
カラー像を受像管上へ投影するためのＬＣＤ投影機および投影法が知られており（特許文献１）、、それによると光源の光全体が広範に受像管上へ投影される。しかしその場合のＬＣＤ投影機は不規則な偏光光線の放出用白色光源であって、通過光線変調のための複数のＬＣＤフィールドを有し、また、光線を異なる波長領域の３つの光線に分割し、しかも３つの各光線が同じ偏光をするようにするための３基の偏光性ビームスプリッタも含んでいる。さらに、様々な反射スペクトル用に４基の反射装置、および分割された光線を結合させるための３基の結合装置が配備されている。
【特許文献１】ＤＥ　１９６　０７　５１０　Ａ１
【発明の開示】
【発明が解決しようとする課題】
【０００４】
上記の現状技術から出発し、本発明では、デジタル投影の際にポジおよびネガの像を同時に作り出すための配置を作り、それによって簡易な技術的手段により、提供された光全体を利用しながらコスト的に有利に、信頼性のある精確なポジ像とネガ像を同時に作り出すことを基本課題にしている。
【課題を解決するための手段】
【０００５】
そのため本発明は、特許請求項１に記載の内容を特徴とする解決法を提案する。他の有利な態様は従属請求項に記載されている。
【０００６】
請求項１によれば、うしろに偏光光学系の配置された光源と反射ＬＣＤパネルとの間の光路内で、反射ＬＣＤパネルの前方に２基の偏光ビームスプリッタが備えられ、これらの偏光ビームスプリッタの間にファラデー回転子が備えられた配置が想定されている。
【０００７】
有利な実施態様の１つは、ファラデー回転子を介して光を１回通過させた際に入射光の偏光面が４５°回転するところに特徴がある。
【０００８】
そのほか有利なことに、偏光光学系の後に配置された第１の偏光ビームスプリッタはネガ像を投影するためにその配備が想定されている。
【０００９】
さらに、より好ましいことに、ファラデー回転子の後、反射ＬＣＤパネルの前に配置された第２の偏光ビームスプリッタは、ポジ像を投影するためにその配備が想定されている。
【００１０】
また別な有利な態様では、反射ＬＣＤパネルの接続画素すべてについて、第２偏光ビームスプリッタにより偏光の偏光面が９０°回転した場合に、反射して光路から出た光がポジ像の投影に向けられるようになっている。
【００１１】
同様に、好ましい他の実施態様では、反射ＬＣＤパネルの接続遮断画素すべてについて、第２偏光ビームスプリッタを通過して、ファラデー回転子を再度通過した後の偏光の偏光面が第１偏光ビームスプリッタにより、第１偏光ビームスプリッタへの往路進行光線の偏光面に対して９０°回転した場合に、反射して光路から出た光が、ネガ像投影のために向けられるようになっている。
【発明の効果】
【００１２】
デジタル投影機、それも特に反射ＬＣＤパネルの場合、提供された光全体を投影に利用することが、すなわち不可欠の変調のために結像光路にではなく光源へ戻し反射される成分をも利用するということが本発明によって可能になり、その結果光線の効果的な利用のみならず、同時に良好なポジ像およびネガ像が、光学系全体に対する追加費用および技術的労力なしに得られるようになる。
【発明を実施するための最良の形態】
【００１３】
以下では本発明を模式図に基づきより詳しく説明する。
図１には、対物レンズを持たず個別の光学部品の備わったデジタル投影システムにおける最小限の光路が示されている。
【００１４】
光源１から送出され偏光光学系２によって線形偏光した光は、第１の偏光ビームスプリッタ３を通って、偏光面を４５°回転させるファラデー回転子４上に達し、第２の偏光ビームスプリッタ５を通って、反射により光を後戻りさせる反射ＬＣＤパネル６上に達する。
【００１５】
反射ＬＣＤパネル６の接続画素すべてにおいて偏光方向が９０°回転し、次にこの光は第２の偏光ビームスプリッタ５による反射で光学的光路から外されて、ポジ像８の投影のために利用される。ＬＣＤパネル６の接続遮断画素ではいずれの場合も、光の偏光方向が影響を受けることはないから、この光は第２の偏光ビームスプリッタ５に妨げられずに通過し、ファラデー回転子４を再度通って偏光方向がまた４５°回転するので、偏光面は第１の偏光ビームスプリッタ３へ進行する光の往路の偏光面に対してその時点で９０°回転していることになる。第１の偏光ビームスプリッタ３によってこの光は反射され、その後光路から出て、ネガ像７を投影するために利用される。
【産業上の利用可能性】
【００１６】
本発明は当実施例に限定されるものではなく、開示の枠内においてさまざまな光学的ビームスプリッタおよびＬＣＤパネルをデジタル投影システムの構成に使用することにより多様に変化させることができる。
詳細説明および／または図面で開示した新たな個別的および複合的特徴はすべて本発明にとって本質的なものと見なされる。
【図面の簡単な説明】
【００１７】
【図１】本発明に基づくデジタル投影光路の模式図
【符号の説明】
【００１８】
１　　　光源
２　　　偏光光学系
３、５　　　偏光ビームスプリッタ
４　　　ファラデー回転子
５　　　反射ＬＣＤパネル
【図１】
2004126561.tif 000003